(57)【要約】【課題】いたずらに梱包後の荷姿を大きくすることなく、また設置作業中に電源部などの部材を保護でき、また設置現場の種々の設置条件に対応可能な照明装置の構成を提供する。【解決手段】Ｔバー（２００）に装着可能な照明装置であって、発光部を構成する照明パネル１０２の周縁部を支持するためのスロット部１０１２、およびほぼＣ字形の断面形状を有するスライドレール部１０１１を有するフレーム１０１と、スライドレール部１０１１内に嵌合し、スライドレール部１０１１の可動範囲内において、任意の位置で固定可能であり、照明パネル１０２の背面に設置される電源部（１５０）の高さと同じかそれよりも高く形成された固定部材１２０とを有し、固定部材１２０を介して装置全体がＴバー（２００）に装着される。【選択図】図５
2014017149.tif 000002
【特許請求の範囲】
【請求項１】
Ｔバーによって形成されたシステム天井の格子部に取り付けられる照明装置であって、
発光部を構成する照明パネルの周縁部を支持するためのスロット部、およびほぼＣ字形の断面形状を有するスライドレール部を有するフレームと、
前記スライドレール部内に嵌合し、前記スライドレール部の可動範囲内において、任意の位置で固定可能であり、前記照明パネルの背面に設置される電源部の高さと同じかそれよりも高く形成された固定部材とを有し、
前記固定部材を介して装置全体が前記Ｔバーに装着されることを特徴とする照明装置。
【請求項２】
請求項１に記載の照明装置において、出荷時、複数の前記固定部材が電源部を取り囲む前記フレーム上の位置に固定されていることを特徴とする照明装置。
【請求項３】
請求項１または２に記載の照明装置において、前記固定部材に固定され、前記Ｔバーと係合して装置全体を前記Ｔバーに対して所定の高さの位置に支持するための係止部材を有することを特徴とする照明装置。
【請求項４】
請求項３に記載の照明装置において、前記係止部材は、前記固定部材に固定される第１の係止部材と、前記Ｔバーへの係合部を有し前記第１の係止部材とビス止め固定される第２の係止部材からなることを特徴とする照明装置。
【請求項５】
請求項３または４に記載の照明装置において、出荷時、前記係止部材が前記固定部材から取り外されていることを特徴とする照明装置。
【請求項６】
請求項１〜５のいずれか１項に記載の照明装置において、前記照明パネルの周縁部を支持する前記フレームのスロット部の内部に、前記照明パネルの導光板に対して照明光を照射する光源を塔載した基板が配置されることを特徴とする照明装置。
【発明の詳細な説明】
【技術分野】
【０００１】
本発明は、照明装置、特にＴバーによって形成されたシステム天井の格子部に取り付けられる照明装置に関するものである。
【背景技術】
【０００２】
従来より、一般住宅や公共の建物などにおいて、配線、配管や給排気ダクトなどを天井裏のスペースに収容するために吊天井構造（いわゆるシステム天井）が用いられている。この種の天井構造では、建物の躯体と天井面との間に配線、配管や給排気ダクトなどのための空間を確保すべく、躯体に植設されたスタッドなどを介していわゆるＴバーなどと呼ばれるレール材をほぼ格子状に配設しておき、このＴバーに天井パネル材を装着するようになっている。
【０００３】
また、Ｔバーは天井パネル材を支持するだけでなく、天井埋め込み型の照明装置を支持するためにも用いられる。下記の特許文献１は、Ｔバーへの取付具を一対の挟持片により形成し、ビスで挟持片を締め付けることによりＴバーの頭部を挟み込んで固定する構造を、また特許文献２は、Ｔバーの高さより低い器具本体を取り付けるようにした照明器具が開示されている。
【先行技術文献】
【特許文献】
【０００４】
【特許文献１】特許第３６０１１１４号
【特許文献２】特開平１０−１０６３３６号公報
【発明の概要】
【発明が解決しようとする課題】
【０００５】
近年、低消費電力で寿命が長いＬＥＤなどの半導体光源を用いた照明が注目されており、白熱灯や蛍光灯などの光源を用いた照明装置に置換可能な照明装置が種々提案されており、この種の照明装置においても、システム天井埋め込み型の照明（システム天井用照明）が知られている。
【０００６】
旧来の白熱灯や蛍光灯などの光源を用いた照明装置は一般に数ｃｍ程度の高さのＴバーよりも大きな厚み（深さ）を有するものが多く、このため、特許文献１に記載されるようなフック形状の係止部材を照明装置の側部に装着しておき、この係止部材によりＴバーの頭部を挟み込んで固定する構造が用いられてきた。
【０００７】
これに対してＬＥＤなどを光源とするシステム天井用照明は、従来の蛍光灯を用いたそれよりも薄型に製造することができ、高さ数ｃｍのＴバーと同程度、あるいはさらに薄型に構成するのは容易であり、そのためシステム天井用照明を取り付けるために天井に設置されているＴバーとの係合においては、Ｔバーの高さ方向の長さが照明器具本体の厚さよりも長いためそれに応じた長さの係止部材が必要になる。
【０００８】
従来のような厚み（深さ）のある照明器具の場合、係止部材は照明器具の側面などに配置されるため本体と一体に形成されていても何ら構成上の影響はなかったが、薄型のシステム天井用照明に従来のＴバーの寸法に合わせた係止部材を一体化すると、平板の各辺に平板の面と垂直方向に出っ張った部材が構成されることになり、たとえば配送時の梱包材への収容効率が悪化し、照明器具本体が小型軽量に形成されていても、梱包後の荷姿はそれほど小さくならない、という問題がある。
【０００９】
かといって、この種の係止部材を一体化せず梱包／運搬時には完全に外しておき、施工時にビス等で照明器具本体に取り付ける構成は施工作業者の手間などの観点から避けるべきであるのと、またもう一つそれが好ましくない理由がある。
【００１０】
たとえば、ＬＥＤなどの半導体を光源とする照明装置は光源が直流低圧点灯であるため変圧／整流などを行なうのに電源部が必要であり、多くの場合、この電源部はパネル型の本体裏面に突出配置される。この電源部を含めた厚さが照明器具本体の厚さということになるわけであるが、この種の電源部は安定化回路などを含む比較的デリケートな部品であり、梱包・輸送時に衝撃を与えてしまうと不具合の原因となることがあるため、その保護部材が必要となる。
【００１１】
そこで、たとえば照明装置の係止部材の一部を利用して器具の実質的な全高を電源部の突出高よりも大きく確保し、設置作業中などに照明装置を逆さに置いても直接電源部が設置面に接地しないようにする、といった構造が考えられる。
【００１２】
また、照明装置が設置される現場では、器具と天井内部のケーブルやスプリンクラーの配管との干渉、Ｔバーのサイズ、形状や、その配置状況など、様々な設置条件が考えられ、照明装置を設置するための係止部材の周囲の構造があまりに固定的であると現場の状況によっては照明装置の設置が不可能になってしまう可能性がある。したがって、照明装置を設置する係止部材の周囲の構造は現場の状況に応じて調節できるよう構成されていることが好ましい。
【００１３】
本発明の課題は、上記の諸問題に鑑み、いたずらに梱包後の荷姿を大きくすることなく、また設置作業中に電源部などの部材を保護でき、また設置現場の種々の設置条件に対応可能な照明装置の構成を提供することにある。
【課題を解決するための手段】
【００１４】
上記課題を解決するため、本発明においては、Ｔバーによって形成されたシステム天井の格子部に取り付けられる照明装置であって、発光部を構成する照明パネルの周縁部を支持するためのスロット部、およびほぼＣ字形の断面形状を有するスライドレール部を有するフレームと、前記スライドレール部内に嵌合し、前記スライドレール部の可動範囲内において、任意の位置で固定可能であり、前記照明パネルの背面に設置される電源部の高さと同じかそれよりも高く形成された固定部材とを有し、前記固定部材を介して装置全体が前記Ｔバーに装着される構成を採用した。
【００１５】
あるいはさらに、出荷時、複数の前記固定部材が電源部を取り囲む前記フレーム上の位置に固定されている構成を採用した。
【００１６】
あるいはさらに、前記固定部材に固定され、前記Ｔバーと係合して装置全体を前記Ｔバーに対して所定の高さの位置に支持するための係止部材を有する構成を採用した。
【００１７】
あるいはさらに、前記係止部材は、前記固定部材に固定される第１の係止部材と、前記Ｔバーへの係合部を有し前記第１の係止部材とビス止め固定される第２の係止部材構成を採用した。
【００１８】
あるいはさらに、出荷時、前記係止部材が前記固定部材から取り外されている構成を採用した。
【００１９】
あるいはさらに、前記照明パネルの周縁部を支持する前記フレームのスロット部の内部に、前記照明パネルの導光板に対して照明光を照射する光源を塔載した基板が配置される構成を採用した。
【発明の効果】
【００２０】
上記の特徴的な構成により、本発明では、前記固定部材が前記照明パネルの背面に設置される電源部の高さと同じかそれよりも高く形成されているため、たとえば設置作業時などにおいて電源部を下にして床面などに載置しても、電源部が直接接地せず、電源部を保護することができ、また、前記固定部材がフレームのスライドレール部の任意の位置に固定可能であるため、照明装置の設置現場における、器具と天井内部のケーブルやスプリンクラーの配管との干渉、Ｔバーのサイズ、形状や、その配置状況など、様々な設置条件に応じて装置全体をＴバーに装着するための固定部材の位置を調節することができ、設置現場の種々の設置条件に対応可能である、といった優れた効果がある。
【００２１】
あるいはさらに、出荷時、複数の固定部材が電源部を取り囲むようフレーム上の位置に固定されている構成によれば、照明装置の配送時や、設置作業時において、確実に電源部を保護できる、という優れた効果がある。
【００２２】
あるいはさらに、前記固定部材に固定され、前記Ｔバーと係合して装置全体を前記Ｔバーに対して所定の高さの位置に支持するための係止部材を用いる、あるいはさらに、前記係止部材が前記固定部材に固定される第１の係止部材と、前記Ｔバーへの係合部を有し前記第１の係止部材とビス止め固定される第２の係止部材から成る、あるいはさらに出荷時、前記係止部材が前記固定部材から取り外されている、といった構造を採用することにより、照明装置の梱包時の荷姿、外形サイズをいたずらに大きくすることがなく、また種々のサイズの係止部材を供給、あるいは照明装置に同梱することにより、係止部材の選択によってＴバーのサイズ、形状や、その配置状況など、様々な設置条件に応じて確実に照明装置を設置することができる。
【００２３】
また、前記照明パネルの周縁部を支持する前記フレームのスロット部の内部を利用して前記照明パネルの導光板に対して照明光を照射する光源を塔載した基板を配置する構造によれば、スペース効率よく照明装置の機能部をフレーム内に配置でき、装置全体の小型軽量化に寄与することができる。
【図面の簡単な説明】
【００２４】
【図１】本発明を採用した照明装置を下面から示した斜視図である。
【図２】本発明を採用した照明装置の上面の斜視図である。
【図３】本発明を採用した照明装置の側面図である。
【図４】本発明を採用した照明装置の要部の斜視図である。
【図５】本発明を採用した照明装置の要部を一部断面を含んで示した説明図である。
【図６】本発明を採用した照明装置の設置状態における要部の斜視図である。
【発明を実施するための形態】
【００２５】
以下、図面に示す実施例に基づき本発明の好ましい実施形態につき詳細に説明する。
【実施例】
【００２６】
図１、図２および図３は本発明を採用した照明装置を下面、上面および側面からそれぞれ示している。また、図５は本発明を採用した照明装置の要部の断面を示している。まず、これら図１〜図３、図５を参照して本発明を採用した照明装置の全体構成につき説明する。
【００２７】
本実施例の照明装置は、ＬＥＤグリッド照明装置であり、図１のように発光部を構成する矩形の照明パネル１０２の４辺を額縁状に組んだ４本のフレーム１０１により支持して構成される。
【００２８】
フレーム１０１は、たとえばアルミニウムなどの金属材料から削り出し、押し出し、引き抜きなどの手法により形成され、後述の図５に示すような断面構造を有し、その内縁に切られたスロット部１０１２（図５）により照明パネル１０２の４辺を支持し、位置決めする。
【００２９】
４本のフレーム１０１の端部は、図１に符号１０１ａで示すように照明パネル１０２の１辺の長さに合わせて絵画や写真用の額縁を組む場合のように４５°傾斜で切断されており、照明パネル１０２の廻りに各フレーム１０１を組んだ後、４つのＬアングル１６０（図２）をビス１６１で固定することにより４本のフレーム１０１が相互に固着され、照明パネル１０２を保持する。
【００３０】
フレーム１０１内縁のスロット部１０１２（図５）は、照明パネル１０２の厚みに対応した開口部１０１２ａを有し、この開口部１０１２ａにより照明パネル１０２が上下にガタつかないよう位置決めする。
【００３１】
照明パネル１０２は、たとえば反射板１０２１、導光板１０２２、拡散板１０２３などから構成される。
【００３２】
フレーム１０１の下部は、ほぼ内側に開いたＣ字形の断面構造を構成し、スロット部１０１２の内部は開口部１０１２ａよりも大きな空間となっており、この部分に基板支持部２１０ａを介してＬＥＤ基板２１０が装着される。 
【００３３】
ＬＥＤ基板２１０は照明パネル１０２のほぼ全長に渡って発光素子としてＬＥＤ２１１が実装されている。ＬＥＤ基板２１０は照明パネル１０２の少なくとも１辺、あるいは対向する２辺（あるいはそれ以上の数の辺）に沿って配置され、ＬＥＤ基板２１０のＬＥＤ２１１は照明パネル１０２の導光板１０２２の端縁から照明光を入射するように配置される。なお、基板支持部２１０ａは、たとえばアルミニウムなどの熱伝導効率の高い材料から構成され、ＬＥＤ２１１ないしＬＥＤ基板２１０の熱をフレーム１０１へ放熱させるヒートシンクの機能を付与することができる。
【００３４】
基板支持部２１０ａおよびＬＥＤ基板２１０は、上記のようにフレーム１０１を照明パネル１０２を囲んで組む前にスロット部１０１２内に挿入され、照明パネル１０２の所定の端縁位置に沿って配置される。
【００３５】
このようにフレーム１０１のスロット部１０１２を利用して照明パネル１０２の導光板１０２２に照明光を供給するＬＥＤ２１１とＬＥＤ基板２１０を配置する構造によって、スペース効率よく照明装置の機能部をフレーム内に配置でき、装置全体の小型軽量化に寄与することができる。
【００３６】
ＬＥＤ基板２１０からの配線の導出は、たとえばフレーム１０１の内側の開口部１０１２ａの上部などに適宜設けた開口（不図示）か、あるいはスロット部１０１２とフレーム１０１上部のスライドレール部１０１１（下記）とを連通する開口（不図示）などを設けておき、これらの開口を介して行なう。
【００３７】
また、フレーム１０１の上部にも、上方に開いたＣ字形の断面構造が設けられており、この部分は後述の固定部材１２０や３角リング１７０などを固定するスライドレール部１０１１を構成する。
【００３８】
なお、フレーム１０１の下部外縁には切り欠き１０１ｂが形成されているが、これはたとえばＴバーの下部２０２（図６）などに係合させて照明装置全体を安定して位置決めするための掛かり構造である。また、これ以外にも、特にフレーム１０１の下部には、製品仕様に応じて装飾的な構造を設けることができる。
【００３９】
ＬＥＤ基板２１０に変圧／整流／安定化した電源を供給する電源部１５０は、図２、図３に示すように台座１８０上に配置され、数本のビス１５２を介して固定される。ＡＣ電源との接続（あるいはさらにＬＥＤ基板２１０への給電）は端子台１５１を介して行なわれる。
【００４０】
台座１８０は、たとえば図示のように対向する２辺のフレーム１０１、１０１を結合するようにビス１８１により固定される。このような構造により、台座１８０（および電源部１５０）によって照明装置全体の剛性をある程度確保することができる。
【００４１】
本実施例では、上述のように４本のフレーム１０１は上方に開いたＣ字形の断面構造を有するスライドレール部１０１１を有しており、このスライドレール部１０１１を介して照明装置が設置される建物の天井に配置されたＴバーと照明装置との結合に用いる固定部材１２０、落下防止や補強のために用いる３角リング１７０（あるいはＤリングなど）などを固定することができ、また、これら固定部材１２０、３角リング１７０の固定位置は必要に応じてスライドレール部１０１１上の任意の位置に変更することができる。
【００４２】
３角リング１７０は、照明装置の落下防止や設置強度の補強の目的で、ワイヤやチェーンなどを介して天井内部のスタッドやＴバーと結合することができる。
【００４３】
本実施例では、図２に示すように、固定部材１２０は４本のフレーム１０１に対して１個所ずつ、２本のフレーム１０１に対して３角リング１７０は１個所ずつ設けてあるがこれらの配置数は任意である。
【００４４】
固定部材１２０の固定は、（図５および図６）平板状の金属材料から成る固定部材１２０の下部にあらかじめ溶接やビス止めなどの手法で結合されたスライダブロック（ないしスライダ板）１２３（図５および図６）およびビス（不図示）により行なう。
【００４５】
スライダブロック１２３はスライドレール部１０１１の上部開口より大きな幅を有しており、固定部材１２０のスライダブロック１２３の部分は、フレーム１０１をＬアングル１６０で固定する前に必要な数だけあらかじめフレーム１０１端部からスライドレール部１０１１に落し込んでおき、不図示のビスをスライダブロック１２３のねじ穴１２３ａに螺合することにより、スライドレール部１０１１内にスライダブロック１２３を固着することができる。
【００４６】
３角リング１７０の固定構造は固定部材１２０の固定構造に類似しており、たとえばあらかじめフレーム１０１のスライドレール部１０１１に落し込んでおいたスライダブロック（ないしスライダ板）１７２にビス１７１で３角リング１７０を固定する。スライダブロック１７２はスライドレール部１０１１の上部開口より大きな幅を有し（図５のスライダブロック１２３参照）、たとえばビス１７１で締め付けることによりスライドレール部１０１１開口縁部にスライダブロック１７２および３角リング１７０を固定することができる。
【００４７】
Ｌアングル１６０で４本のフレーム１０１を相互に固着した後は、固定部材１２０および３角リング１７０のスライダブロック１２３、１７２はフレーム１０１内に封入された形になり、固定用のビスを緩めても脱落せず、そして、フレーム１０１のスライドレール部１０１１内の可動範囲を任意に移動させることができ、任意の位置に固定部材１２０および３角リング１７０を固定することができる。
【００４８】
図２においては、図の左右の固定部材１２０は何も装着されていない状態で示されているが、上下の固定部材１２０は、後述のようにＴバーとの結合に用いられる係止部材１３０、および係止部材１４０を固定した状態で示されている。
【００４９】
図４および図５は、固定部材１２０、係止部材１３０、１４０廻りの構造をより詳細に示している。係止部材１３０、１４０はたとえば図示のように金属板を２回、９０°および−９０°方向に折曲した形状で、また、係止部材１４０の先端は短かく折曲され、爪部１４１が形成されている。この爪部１４１はＴバーへの係合部を構成する。
【００５０】
係止部材１３０はビス１２１で固定部材１２０に固着され、係止部材１４０はビス１３１で固定部材１３０に固着されるが、係止部材１３０、１４０の全体形状はそれぞれこの状態で図６に示すように、係止部材１３０〜１４０の間の空隙がほぼ天井のＴバー２００の上部２０１の外形に沿うように、また、係止部材１４０の爪部１４１がＴバー２００の上部２０１の下縁に係止するように構成されている。
【００５１】
なお、Ｔバー２００の形状は一様ではなく、高さやその上部２０１のサイズは１種類ではないため、係止部材１３０、１４０の寸法や形状は取り付け先のＴバー２００の仕様に応じて複数種類用意し、たとえば納入先などに応じ選別して照明器具と同梱することが考えられる。
【００５２】
また、固定部材１２０にはビス１２１により係止部材１３０を固定するためのビス穴１２１ａ（図４、図６）を複数設けておくことができ、ビス穴１２１ａの選択によっても照明装置とＴバー２００の位置関係や照明装置の設置高を調節することができる。
【００５３】
Ｔバー２００と係止部材１３０、１４０の寸法関係は任意であり、たとえばＴバー２００の下部２０２（図６）に対して天井パネルが未実装でＴバー２００が露出しているような状況において、緩く仮止めした係止部材１３０、１４０をＴバー２００に係合させてからビス１２１、１３１を締め付けてＴバー２００と係止部材１３０、１４０を堅固に固着する、といった工法を想定し、係止部材１３０、１４０の内寸とＴバー２００外寸を近い値に取ってもよいし、あるいはそれよりも緩い結合状態でＴバー２００へのヒッカケ（あるいはさらに爪部１４１による係合）によって照明器具を装着する工法を想定し、係止部材１３０、１４０の内寸とＴバー２００外寸にある程度の余裕を持った寸法差を与えてもよい。
【００５４】
係止部材１３０を固定部材１２０とは一体ではなく、分割構造としているのは、たとえば照明パネル１０２を天井面とほぼ面一に配置するような設置条件においては、ＬＥＤ光源のパネル照明の場合、照明装置全体がＴバーの全高に対し従来型の照明器具などに比して低く構成されるため、照明装置、特に固定部材１２０が固定されるフレーム１０１の部分の高さに比して係止部材１３０、１４０による係止構造が比較的高い位置に配置される必要があるためである。
【００５５】
たとえば、係止部材１３０は場合によっては省略し、固定部材１２０と一体に構成することを考えてもよいが、その場合には前述のように梱包時の荷姿、外形サイズが固定部材１２０によっていたずらに大きくなってしまう問題を生じる。
【００５６】
これに対して、本実施例のようにＴバー２００に対する係止構造を分割式の係止部材１３０、１４０によって構成しておけば、梱包、配送時には係止部材１３０、１４０を取り外しておき、固定部材１２０のみがフレーム１０１に固着された状態にでき、梱包時の荷姿を適切なサイズに縮小することができる。
【００５７】
また、固定部材１２０の高さは、係止部材１３０、１４０を分割式にしているため、Ｔバー２００に対する寸法関係に制約されることがなく、たとえば下記のような条件に応じて適宜定めることができる。
【００５８】
すなわち、照明装置の設置作業時に照明パネル１０２の発光面を上に向け、電源部１５０を下にして床面などに載置した状態では、固定部材１２０が接地し、電源部１５０が直接接地しないような高さに固定部材１２０の長さを決めておく。そして、工場出荷時の固定部材１２０のスライドレール部１０１１上の固着位置は図２および図３に示すように電源部１５０を取り囲むような４つの位置に取る。
【００５９】
このような組立てを行なえば、照明装置の配送時や、設置作業時において、確実に照明装置の電源部１５０を下にして床面などに載置しても、電源部１５０が直接接地せず、電源部１５０を保護することができる。
【００６０】
また、本実施例の特徴は、照明装置全体を組立てた後でも、固定部材１２０の固着位置を任意に移動できる点にあり、スライダブロック１２３を固定しているビス（不図示）を緩めれば、スライダブロック１２３および固定部材１２０をフレーム１０１のスライドレール部１０１１上の任意の位置に移動できる。
【００６１】
したがって、固定部材１２０、係止部材１３０、１４０と設置現場の天井内部のケーブルやスプリンクラーの配管との干渉、Ｔバーの配置状況などに係わる諸条件に応じて、必要があればスライダブロック１２３および固定部材１２０を現場の状況に適した任意の位置に移動することができる。
【００６２】
なお、以上の実施例では、光源素子としてＬＥＤを想定したが、フレーム１０１のスロット内部に配置可能な光源素子であればＬＥＤ以外の光源素子を用いる照明装置においても上述の構成を実施できるのはいうまでもない。
【符号の説明】
【００６３】
１０１  フレーム
１０２  照明パネル
１２０  固定部材
１２３、１７２  スライダブロック
１３０  係止部材
１４０  係止部材
１５０  電源部
１５１  端子台
１５２、１６１、１７１、１８１  ビス
１６０  Ｌアングル
１７０ ３角リング
１８０  台座
２００  Ｔバー
２１０ａ  基板支持部材
２１０  ＬＥＤ基板
２１１  ＬＥＤ
１０１１  スライドレール部
１０１２  スロット部
１０２１  反射板
１０２２  導光板
１０２３  拡散板
【図１】
2014017149.tif 000003
【図２】
2014017149.tif 000004
【図３】
2014017149.tif 000005
【図４】
2014017149.tif 000006
【図５】
2014017149.tif 000007
【図６】
2014017149.tif 000008